(57)【要約】【課題】簡単な構造でありながら、投入口に指などを入れることによる怪我の発生を防止できる裁断装置の投入口構造を提供する。  【解決手段】投入口３から裁断刃５に向けて幼児の指の厚みよりも狭い通路を設け、通路の始端部に、通路を拡幅する方向に変形可能な弾性部材１０を配設し、その弾性変形によって操作されるスイッチ３０を設け、そのスイッチ３０の操作によって裁断刃が駆動不能になるようにする。挿入口に指などが挿入され、裁断刃５のところにまで達した場合であっても、裁断刃５は停止状態なので、指の切断等の大事故に繋がる可能性は低い。【選択図】図１
2008119577.tif 000002
【特許請求の範囲】
【請求項１】
ハウジング内に投入されたシート材を裁断する裁断装置（２）の投入口構造（１）であって、
投入口（３）から裁断刃（５）に向けて幼児の指の厚みよりも狭い通路を設け、該通路を拡幅する方向に変位可能な壁面部材（１０、１１０）を配設したことを特徴とする裁断装置の投入口構造。
【請求項２】
前記壁面部材（１０）を、前記通路の始端部に設けられた弾性部材（１０）とし、該壁面部材（１０）が弾性変形されることによって前記通路が変位されるように構成したことを特徴とする請求項１に記載の裁断装置の投入口構造。
【請求項３】
前記壁面部材（１１０）を、投入口に向かう壁面を構成する部材で構成し、該壁面部材（１１０）に設けられた係止部（１８）が、前記ハウジング（４）に取り付けられた被係止部（４２）に係止されながら摺動することによって、前記通路が拡幅される方向に変位するように構成したことを特徴とする請求項１に記載の裁断装置の投入口構造。
【請求項４】
前記係止部（１８）を、前記壁面部材（１０）に設けられたガイド溝（１８）によって構成し、前記被係止部（１８）を、前記ハウジング（４）に取り付けられた突起部（４２）によって構成したことを特徴とする請求項３に記載の裁断装置の投入口構造。
【請求項５】
前記壁面部材（１０、１１０）の変位によって操作されるスイッチ（３０）を更に設け、該スイッチ（３０）が操作されることによって前記裁断刃（５）が駆動不能になるようにしたことを特徴とする請求項１〜請求項４の何れか１つの請求項に記載の裁断装置の投入口構造。
【発明の詳細な説明】
【技術分野】
【０００１】
本発明は、紙やコンパクトディスク等のシート材を細かく裁断するためのシュレッダー、或いは名刺などのカード類を所定の大きさに裁断するためのカード裁断機などの裁断装置の投入口の構造に関し、特に、投入口に指などが入ることによる怪我の発生を防止できる投入口構造に関する。
【背景技術】
【０００２】
シュレッダーやカード裁断機などの裁断装置においては、シート材の投入口に誤って指を入れてしまったり、投入口にネクタイ等が巻き込まれるのを防止するための技術として、以下の特許文献に示されたものがある。
特許文献１には、シュレッダーの投入口に人の指などの裁断されるべきでない物が進入するのを検知するために、投入口の近傍に人や動物の存在を検知する近接センサを設けるという技術が開示されている。
また、特許文献２には、ネクタイ等がカッターに巻き込まれることを防止するために、上部に凹み部を設けたペーパーガイドを裁断機の用紙投入口の周辺に設置する技術が開示されている。
【特許文献１】特開２００５−９５８９８号公報
【特許文献２】特開平０５−１１５８０７号公報
【発明の開示】
【発明が解決しようとする課題】
【０００３】
しかしながら、特許文献１に開示の技術には、裁断されるべきでない物と、裁断されるべき物とを区別して検知できる近接センサが必要である上に、センサの配設位置によっては、被裁断物を差し込む際の作業者の手などにも反応してしまい、裁断作業に支障を来す虞がある。
【０００４】
特に、被裁断物が挿入されると同時に自動的に裁断刃が回転する構成のシュレッダーにおいては、被裁断物の挿入を検知するセンサが別個に必要になるので、それぞれのセンサの性能や構造が複雑化する上に、取り付け位置の調節が困難である。このため、製造コストが嵩み、商品価格が高くなるので、家庭用のシュレッダーとして普及させるには難しい。
【０００５】
特許文献２に開示の技術は、無意識のうちにネクタイが裁断されるといった事態は低減できるかもしれないが、幼児の悪戯等によって、意識的に用紙投入口に指などを挿入する場合には効果が低い。
そこで、本発明は、簡単な構造でありながら、シート材の投入口に指などを入れることによる怪我の発生を防止できる裁断装置の投入口構造の提供を目的とする。
【課題を解決するための手段】
【０００６】
上記課題を解決するために、本発明は、ハウジング内に投入されたシート材を裁断する裁断装置の投入口構造であって、投入口から裁断刃に向けて幼児の指の厚みよりも狭い通路を設け、該通路を拡幅する方向に変位可能な壁面部材を配設したことを特徴とするものである。
この場合、前記壁面部材を、前記通路の始端部に設けられた弾性部材とし、該壁面部材が弾性変形されることによって前記通路が変位されるように構成してもよい。
【０００７】
また、前記壁面部材を、投入口に向かう壁面を構成する部材で構成し、該壁面部材に設けられた係止部が、ハウジングに取り付けられた被係止部に係止されながら摺動することによって、前記通路が拡幅される方向に変位するように構成してもよい。
この場合、前記係止部を、前記壁面部材に設けられたガイド溝によって構成し、前記被係止部を、前記ハウジングに取り付けられた突起部によって構成してもよい。
また、前記壁面部材の変位によって操作されるスイッチを更に設け、該スイッチの操作によって前記裁断刃が駆動不能になるようにしてもよい。
【発明の効果】
【０００８】
請求項１に係る発明は、ハウジング内に投入されたシート材を裁断する裁断装置において、投入口から裁断刃に向けて幼児の指の厚みよりも狭い通路を設けたので、幼児の指の厚みよりも厚いものが無意識のうちに投入口に入り込むことを防止できる。
万一、悪戯や不注意によって、指など裁断されるべきでないものが投入口に挿入された場合であっても、壁面部材が変位して通路が拡幅されるので、裁断刃の方向に引き込まれようとする指を、瞬時に引き抜くことができる。特に、通路の幅がハウジングの内部にいくに従って狭窄する場合は、投入口に挿入された指がハウジング内部に引き込まれ、抜き出すことが難しくなるが、本発明においては、通路が拡幅されるので、かかる事態は生じない。
【０００９】
請求項２に係る発明は、壁面部材を通路の始端部に設けられた弾性部材によって構成し、壁面部材が弾性変形されることによって、その弾性変形される端部が変位するようにしたので、簡単な構造の部材によって、通路を拡幅させることができる。
請求項３に係る発明は、壁面部材を投入口に向かう壁面を構成する部材によって構成し、その壁面部材に設けられた係止部が、ハウジングに取り付けられた被係止部に係止されながら摺動するようにしたので、簡単な構造の部材によって、通路を拡幅させることができる。
【００１０】
請求項４に係る発明では、請求項３に係る発明の係止部を、壁面部材に設けられたガイド溝によって構成し、被係止部をハウジングに取り付けられた突起部によって構成したので、係止部と被係止部との係合状態を維持しながら、壁面部材を円滑に変位させることができる。これによって、通路をスムーズに拡幅させることができ、裁断されるべきでないものが投入口に挿入されてしまった場合に、スムーズに引き出すことができるようになる。
請求項５に係る発明では、壁面部材の変位によって操作されるスイッチを更に設け、そのスイッチが操作されることによって裁断刃が駆動不能になるようにしたので、万一、指などの裁断されるべきでないものが裁断刃のところまで達した場合であっても、その時は、裁断刃は回転していない状態となる。
これによって、回転状態の裁断刃に指などが接触することがなくなるので、指の切断などの大事故を回避できる。
【発明を実施するための最良の形態】
【００１１】
本発明の好適な実施形態について、添付図面に基づいて説明する。なお、実施形態は以下の形態に限定されるものではなく、本発明の課題を解決し得るものであれば他の態様も可能である。
【００１２】
図１は、本発明の第１実施形態の裁断装置の投入口構造１を示す断面図である。この裁断装置の投入口構造１は、図２に示すシュレッダー２の投入口３に適用されるものである。
先ず、本発明に係る裁断装置の投入口構造１が適用されるシュレッダー２の構成について説明する。
【００１３】
このシュレッダー２は、紙やコンパクトディスクなどのシート状の被裁断物を裁断するものであり、投入口３から投入された被裁断物を、ハウジング４の内部に設けられた裁断刃５で裁断処理し、裁断刃５の下方に設けられた屑収容箱に排出するようになっている。
このシュレッダー２のハウジング４の正面には扉８が回動可能に取り付けられている。この扉８を開けば、図示しない屑収集箱が前方に引き出し可能に収容されている。
【００１４】
ハウジング４の上面には、シート材を投入するための投入口３が設けられている。
投入口３の下方には、シート材の裁断処理を行うための一対の裁断刃５が配設されている。この裁断刃５は、筒状体の周面に鋭利な刃先を多数設けたもので、２本の筒状体は、裁断刃５が対向するように水平に並列させて配置され、両端部において回転可能に支承されている。
【００１５】
この裁断刃５の上方には、図示しないセンサが取り付けられており、そのセンサが被裁断物の通過を検知することによって、図示しない駆動モータが作動し、筒状の裁断刃５が回転し、裁断刃５の間を通過する被裁断物を細かく裁断するようになっている。
なお、裁断刃５を回転させるための駆動モータは、ハウジング４に設けられた電源スイッチ６をＯＮにすることによって閉じる電源回路に接続されている。また、上記裁断刃５を駆動させるための一連の機器は、ハウジング４の扉８を開けた際に表れる保護壁と、ハウジング４の扉８を開けて屑収集箱を引き出した際に裁断刃５と屑収集箱との間を遮蔽するシャッターとによって、裁断作業者が直接触れることがないようになっている。
【００１６】
次に、このシュレッダー２に適用される投入口構造１について詳述する。
シュレッダー２の投入口３から裁断刃５に向けて被裁断物の通路９が形成されている。この通路９は、被裁断物の進路方向に向けて配設された弾性部材１０と、ハウジング４と一体形成された通路部材２０と、によって構成される。
【００１７】
この場合、シュレッダー２のハウジング４の上面は、投入口３の手前で、一旦裁断刃５の位置まで下降し、裁断刃５の上で通路側に向けて屈曲し、緩やかなカーブを描きながら上方に向かう形状に成形されている。即ち、通路部材２０は、図３に示すように、ハウジング４の上面を所定幅に切り欠いてできた開口部に、半円形の上部の円弧部分を切り欠いた断面形状を成すレール部材を連設して形成されている。このレール部材において通路を形成する中央側の部分を通路壁部２１、底の部分を底壁部２２、ハウジング４から下降している部分を後壁部２３と称することとする（図１参照）。
【００１８】
上記構成のレール部材を覆うように、断面円弧状の弾性部材１０が取り付けられている。
この弾性部材１０は、通路の始端部（即ち、通路の上流側）に、通路部材２０の通路壁部２１と略面一になって通路壁面が構成されるように配設されている。弾性部材１０は、金属又は合成樹脂製の板バネ状の部材によって構成されており、弾性変形された際に、弾性部材１０の先端部１１と通路部材２０との間に間隙が生じるように設計されている。
【００１９】
この場合、弾性部材１０の通路に面した部分と、通路部材２０の後壁部２３との間に、スプリング１２が配設されており、初期状態においては、通路の幅Ｍが幼児の指の厚みよりも狭くなり、弾性変形された際には、弾性部材１０の先端部１１と通路部材２０との間に生じる間隙が、幼児の指の厚みよりも広い幅になるように調節されている。なお、幼児の指の厚みとは、図４に示す長さNをいうものとする。
【００２０】
弾性部材１０が弾性変形された際に生じた間隙は、通路部材２０によって規制されたレール状の空間部Ｓに連続するようになっている。
また、弾性部材１０の先端部１１には、通路から反れる方向に傾斜する逃げ面１３が設けられている。
【００２１】
このような弾性部材１０と通路部材２０のセットが、所定の間隔Ｍをあけて対向配置されることで、投入口３から裁断刃５に向かう被裁断物の通路が形成されることとなる。弾性部材１０と通路部材２０のセットが対向配置される間隔Ｍは、幼児の指の厚みよりも小さく、例えば約２ｍｍ〜１０ｍｍ程度の幅に設定されている。
通路部材２０の裏側には、裁断刃５の駆動を制御するリミットスイッチ３０が配設されている。
【００２２】
このリミットスイッチ３０は、通路部材２０の後壁部２３に設けられた小孔３１から操作部が露呈するように、通路部材２０の後壁部２３の背面に取り付けられている。
弾性部材１０が弾性変形した際に、その先端部１１でリミットスイッチ３０の操作部を押圧するようになっている。
このリミットスイッチ３０は、裁断刃５を回転させるための駆動モータに接続されており、リミットスイッチ３０の操作部が押圧されることによって、回転刃５が駆動不能状態となる。
【００２３】
上記構成のシュレッダー２の使用状態を、図５を参照して説明する。
裁断作業を行う際には、被裁断物を投入口３に投入する。この際、投入口３から裁断刃５に向かう通路の幅が幼児の指の厚みよりも狭いので、図５（ａ）に示すように、指を投入口３の付近まで近づけても、投入口３に挿入される危険性が低い。
万が一、誤って指が投入口３に挿入してしまった場合、図５（ｂ）に示すように、通路の始端部に設けられた弾性部材１０が変形し、その先端部１１において、通路を拡幅する方向に大きく撓む。
【００２４】
この際、弾性部材１０と通路部材２０との間に間隙ができ、その間隙に指が導かれ、空間部Ｓへと進入する。そして、通路部材２０の内壁面に当接して停止する。
これによって、指が誤って投入口３に挿入された場合であっても、裁断刃５にまで至る可能性は低くなる。
【００２５】
たとえ指が裁断刃５に達してしまった場合であっても、弾性部材１０の先端部１１がリミットスイッチ３０の操作部を押圧しているので、既に回転刃５が駆動不能状態となっている。このため、たとえ裁断作業中であっても、裁断刃５の回転が直ちに停止するので、回転する裁断刃５に指が巻き込まれるといった事態を回避できる。
【００２６】
なお、通路の間隔Ｍを裁断刃５の裁断能力に応じた幅に設計しておけば、裁断可能枚数を超えて被裁断物が投入された場合に、回転刃５の駆動を停止させることもできる。これによって、被裁断物が裁断刃５に噛み込まれ、裁断刃５が停止するといった事態を防止することができる。また、被裁断物が裁断刃５に噛み込まれることによる裁断刃５の破損を防止することもできる。
【００２７】
本実施形態においては、弾性部材の下流側に通路部材を配設したが、図６に示すように、リミットスイッチ３０を押圧する弾性部材１０のみを設けてもよい。
この場合、指を進路から逃がすことはできないが、万一、裁断刃５のところにまで達した場合であっても、裁断刃５は既に停止しているので、指の切断等の大事故に繋がる可能性は低い。
【００２８】
また、弾性部材１０によって押圧されるスイッチは、裁断刃５の駆動回路を開閉できるものであれば、如何なる構造のものであってもよい。
更に、弾性部材１０の構成も、通路を拡幅可能なものであれば、ゴム製又はスポンジ状のものでもよいし、或いは、ハウジング４に枢支された剛体をスプリングによって通路側に付勢したものであってもよい。
【００２９】
また、本発明においては、弾性部材１０の変位によって操作されるスイッチは必ずしも必要ではない。
この場合、投入口３に指などが挿入された際、裁断刃は回転している状態ではあるが、弾性部材１０の先端部が変位して通路９が拡幅されるので、裁断刃の方向に引き込まれようとする指を、瞬時に引き抜くことができる。これによって、シュレッダーの投入口における事故を防止できる。
なお、本発明の投入口構造は、名刺裁断機などのシート材を所定形状に裁断する装置の投入口にも適用できる。
【００３０】
次に、本発明の第２実施形態に係るシュレッダーの投入口構造１を、図７を参照し、説明する。
この投入口構造１は、図８に示すシュレッダー２の投入口３に適用されるものである。
図８は、シュレッダー２の横方向中央部を切断した状態を表した図であり、図７（ａ）は、図８の投入口３の部分を示す要部断面図であり、図７（ｂ）は、図２のＡ−Ａ線に沿ってシュレッダー２を切断した状態を示す要部断面図である。
先ず、本発明に係る投入口構造１が適用されるシュレッダー２について説明する。
【００３１】
このシュレッダー２は、紙やコンパクトディスクなどのシート状の物を細断するものであり、投入口３から投入された被裁断物を、ハウジング内部に設けられた裁断刃５で細かく裁断し、裁断刃５の下方に設けられた屑収容箱に排出するようになっている。
【００３２】
シュレッダー２のハウジングは、ハウジング本体４と壁面部材１１０とによって構成されており、ハウジング本体４の正面側からハウジング内部に向かう導入面４１と、ハウジング本体４の背面側に取り付けられた壁面部材１１０との間の間隙（即ち、投入口３）に被裁断物を挿入するようになっている。なお、図９は、壁面部材１１０を取り外した状態のハウジング本体４を示している。
【００３３】
ハウジング内部においては、投入口３から裁断刃５へと向かう通路９が形成されており、通路９の下方に、細断処理を行なうための裁断刃５がフレーム７に固定されて配設されている。
裁断刃５は、被裁断物を縦方向に裁断する第１の回転刃５１と、斜め方向に裁断する第２の回転刃５８とからなるものである。
投入口３からの通路９に連続して配置される第１の回転刃５１は、図１０に示すように、２つの回転刃５１ａ、５１ｂを、回転刃ケース５４ａ，５４ｂに収容した状態で対向配置したものである。これらの回転刃５１ａ，５１ｂは、図１１に示すように、回転軸５２にディスク状の丸刃５３を等間隔に配設したものであり、軸線方向を水平にして並列されている。
【００３４】
回転刃５１のディスク状の丸刃５３は、図１２に示すように、周面に鋭利な刃部を有する薄刃５５をディスク状のスペーサ５６の両側に貼り付けたもので、夫々の薄刃５５の周縁部において被裁断物を巻き込みながら縦方向に裁断するようになっている。なお、回転刃ケース５４は、１つの丸刃５３が収容される凹部５７を有する単位ケース５４’を、凹部５７を同方向に向けた状態で複数接合することによって構成されたものである。この場合、単位ケース５４’の凹部５７は、丸刃５３の周縁部がケースから一部露出されるような形状に形成されており、その露出された丸刃５３ａ，５３ｂの周縁部が相互に接触されるように、２本の回転刃５１ａ，５１ｂを並べて配置している（図１０参照）。
【００３５】
なお、この単位ケース５４’は、ＡＢＳ樹脂等の合成樹脂によって成形されている。このように、回転刃ケース５４を合成樹脂製の材料で形成することによって、回転刃５１が回転刃ケース５４に接触した場合であっても、刃先が破損することがないので、丸刃５３と凹部５７との間に隙間が殆ど生じないような形状に成型することが可能となる。
これによって、細断中に丸刃５３の刃先に細断屑や切子が付着した際に、ケースの縁部で細断屑等が掻き落とされるので、刃とケースの間に細断屑が詰まるのを防止できる。
【００３６】
また、回転刃ケース５４に覆われた回転刃５１を並列配置した際に、図１０に示すように、夫々の回転刃ケース５４ａ，５４ｂの間の隙間Ｍ’が、幼児の指の厚みよりも狭くなるように、双方の回転刃５１ａ，５１ｂを接近させて配置している。この隙間Ｍ’は、例えば２ｍｍ程度に設計するのが好ましい。
このように、回転刃５１ａ，５１ｂを並列配置した際に、丸刃５３ａ，５３ｂの刃先が相互に接触した状態で露出される空間部を、幼児の指が入らないような隙間Ｍ’とすることで、作業者の指が回転刃５１に直接触れることがないようにしている。
【００３７】
第１の回転刃５１の下方には、第１の回転刃５１によって縦方向に裁断された被裁断物を斜め方向に切断するための第２の回転刃５８が配設されており、その下方に、屑収集箱が引き出された際に生じた空間部から手が回転刃５８の方向に挿入されるのを防止するためのガード部材５９が配設されている（図１参照）。
第１及び第２の回転刃５１，５８は、導入面４１に設けられた図示しないセンサが被裁断物の通過を検知することによって回転される。第１及び第２の回転刃５１，５８を回転させるための駆動モータは、ハウジング本体４に設けられた図示しない電源スイッチをＯＮにすることによって閉じる電源回路に接続されている。
また、ハウジング本体４の内壁面には、壁面部材１１０の変位を検出するマイクロスイッチ６０が取り付けられており、壁面部材１１０の変位によって通路９が拡幅された際に、回転刃５１，５８が停止されるようになっている。
【００３８】
次に、このシュレッダー２に適用される投入口構造１について詳述する。
この投入口構造１は、投入口３に向かう壁面を構成する壁面部材１１０を、ロック部材１２０を介して、図８に示すハウジング本体４に取り付けたものである。
即ち、ハウジング本体４の上面は、背面側の領域が大きく開口されており、正面側から中央部に向けて導入面４１が形成されている。この導入面４１は、ハウジング内部に向けて滑らかに湾曲する曲面からなるもので、後述する壁面部材１１０の通路面１１４と対向配置されることによって、被裁断物の通路９を形成する。
【００３９】
このハウジング本体４の導入面４１を覆うように壁面部材１１０が取り付けられる。
以下、壁面部材１１０の構成を、図１３，図１４を参照して説明する。
壁面部材１１０は、ハウジング本体４に取り付けられた際に、その上面部１１１において投入口３に向かう壁面を構成するものであるが、投入口側１１２の裏面部には、通路面１１４が形成されている。
この通路面１１４は、ハウジング本体４の導入面４１と対向配置されることによって所定幅の通路９を形成するものであり、導入面４１の湾曲形状に対応した形状を成している。
【００４０】
一方、壁面部材１１０が取り付けられる背面部側１１３の裏面部には、嵌合凹部１１５と階段部１１６が形成されている。
即ち、背面部側１１３の裏面部には、横方向中央部に嵌合凹部１１５が形成され（図１４（ａ）参照）、その両側に隣接して、階段部１１６，１１６が形成されている（図１４（ｂ）参照）。
中央に形成された嵌合凹部１１５は、図７（ａ）に示すように、後述するロック部材１２０の嵌合凸部１２１を収容することで、壁面部材１１０とロック部材１２０との嵌合状態を維持させるための部位である。
【００４１】
この嵌合凹部１１５は、壁面部材１１０が変位した場合であっても、ロック部材１２０の嵌合凸部１２１が遊嵌される大きさの内側形状を有する（図１９（ａ），図２０（ａ）参照）。
この場合、嵌合凹部１１５を構成する内壁１１５ａを、横方向からの外力によっては嵌合凸部１２１が跳び出すことがないような高さに設計することで、通路９が拡幅される方向（即ち、シュレッダー２の背面側に向かう方向）に外力が加わった際に、壁面部材１１０がハウジング本体４から過度に離反されない範囲で、壁面部材１１０を変位させることが可能となる（図２０（ａ）参照）。
【００４２】
なお、壁面部材１１０の斜め上方への変位をガイドするためのガイド溝１１８が壁面部材１１０の側壁部に形成されており、そのガイド溝１１８を、ハウジング本体４の側壁内側に設けられた突起４２（図１０参照）がスライドするようになっている。
また、壁面部材１１０の嵌合凹部１１５の形状は、壁面部材１１０が通路９を拡幅する方向に離反された際に、通路９の終端部における通路幅Ｌ（図２０参照）が、指の厚みよりも大きくならないよう（例えば９ｍｍ程度）に設計されている。
【００４３】
嵌合凹部１１５の両側には、階段部１１６が形成されている。この階段部１１６は、壁面部材１１０が取り付けられている背面部側１１３から投入口１１２の側に向けて突出高さが高くなるような階段状に形成されている。この階段部１１６の段差は、通路９が拡幅される方向に外力が加えられることによって、後述するロック部材１２０の係止部１２２に、夫々の段差部が係止しながら移動可能な程度の高さ（例えば１ｍｍ程度）に設計されている。この階段部１１６の角部にアールをつけることで、係止部１２２上を滑らかに移動できるようにしておくとよい。
【００４４】
このようにして、壁面部材１１０がハウジング本体４に取り付けられた初期状態においては、図７（ｂ）に示すように、壁面部材１１０の取り付け側に位置する始段部１１６ａに係止部１２２が係止され、壁面部材１１０が背面部側１１３に向けて変位することによって、階段部１１６の夫々の段差が係止部１２２に係止していき、ロック部材１２０の嵌合凸部１２１が壁面部材１１０の嵌合凹部１１５の内壁１１５ａに当接することによって、壁面部材１１０の変位量を規制できるように構成する。
【００４５】
次に、ロック部材１２０の構成を説明する。
ロック部材１２０は、ハウジング本体４に壁面部材１１０を着脱可能に取り付けるためのもので、ハウジング本体４の背面側の上部に配設されている。
このロック部材１２０は、図１５及び図１６に示す板状部材であって、上縁部の中央に嵌合凸部１２１を突設し、その両側に係止部１２２，１２２を形成している。嵌合凸部１２１は、壁面部材１１０の嵌合凹部１１５と嵌合する部位で、係止部１２２，１２２は、壁面部材１１０の階段部に係止される部位である。
【００４６】
ロック部材１２０は、嵌合凸部１２１を上方に向けた状態でハウジング本体４の側壁面の内側に配設される。この嵌合凸部１２１が壁面部材１１０の嵌合凹部１１５に嵌め込まれることによって、壁面部材１１０がハウジング本体４に取り付けられ、シュレッダーのハウジングの上面が構成される（図７（ａ）参照）。この際、ロック部材１２０の係止部１２２は壁面部材１１０の階段部１１６の始段部１１６ａに位置することとなる（図７（ｂ）参照）。
【００４７】
係止部１２２の下方には、後述するスプリング１３０、１３０を取り付けるための空間部１２３，１２３が形成されており、その反対側の面には、スプリング１３０，１３０によって上方に付勢されたロック部材１２０を下方に変位させるための操作部１２４が形成されている。
ロック部材１２０の空間部１２３には、弾性部材としてのスプリング１３０が配設される。このスプリング３０の下端部は、図１４に示すように、ハウジング本体４の背面部に設けられた取付部１３１の筒状部材に嵌め込まれており、ロック部材１２０を上方に付勢している。
【００４８】
ハウジング本体４の取付部１３１の近傍には、小さな孔１３２が開設されており、その孔１３２からロック部材の操作部１２４がハウジング外部に露呈されるようになっている。
ロック部材１２０の操作部１２４を下方に押し下げた状態で、壁面部材１１０を斜め上方に持ち上げることで、ロック部材１２０の嵌合凸部２１が壁面部材１１０の嵌合凹部１１５から抜け出し、ロック部材１２０と壁面部材１１０との嵌合状態が解除される。
【００４９】
上記構成の投入口構造１の使用状態を、図１及び図１７〜図２１を使用して説明する。
細断作業を行う際には、図１８（ａ）の状態の投入口３に、被裁断物を投入する。被裁断物は導入面４１を滑り落ち、ハウジング内部の第１の回転刃５１に巻き込まれながら縦方向に裁断される。そして、第２の回転刃５８で斜め方向に裁断されることによって細かく裁断されていく。
【００５０】
この際、被裁断物などが多量に投入口に挿入された場合は、壁面部材１１０に対して水平方向に外力が加わるので、図１８（ｂ）に示すように、壁面部材１１０の階段部１１６の２段目、３段目の段差が係止部１２２に係止し（図１９（ｂ）参照）、被裁断物の通路９が少し拡幅される。通路９が拡幅されることによって被裁断物の枚数が多すぎたことを知った作業者は、搬送されようとする被裁断物を瞬時に引き抜くこととなるが、この際、通路９が拡幅されているので、被裁断物を容易に引き抜くことができる。この際の壁面部材１１０とロック部材１２０の嵌合状態は、図１９（ａ）に示すようになっている。
【００５１】
また、万一、被裁断物９と共に投入口３に作業者の指などが挿入されてしまった場合、壁面部材１１０に対して大きな外力が加わるので、壁面部材１１０の階段部１１６の夫々の段差が、ロック部材１２０の係止部１２２に係止ししつつ移動し（図２０（ｂ）参照）、被裁断物の通路９が大きく拡幅される。
このように、被裁断物と共に指などがハウジング内部に挿入された場合において、特に通路９が狭窄している場合などは、指が通路９に挟まった状態で更にハウジング内部へと引き込まれてしまうが、壁面部材１１０を変位させて通路９を拡幅することによって、瞬時に指を引き抜くことができるようになる。
【００５２】
この際、図２０（ａ）に示すように、壁面部材１１０とロック部材１２０との嵌合が維持された状態であり、壁面部材１１０の移動範囲が規制されているので、壁面部材１１０が過度に離反し、その隙間から指が勢いよくハウジング内部に進入するのを防止できる。
本実施例では、壁面部材１１０が変位された際の通路９終端部の最大幅Ｌが、幼児の指の厚みよりも大きくならないように、壁面部材１１０の嵌合凹部１１５を設計しているので、壁面部材１１０に過度の外力が加わった場合にでも、指の進入が許容されるまでは通路９が拡幅されることはない。これによって、意図的に指を投入口３に挿入した場合であっても、通路の終端部において指の進入が規制されるので、指が裁断刃５に到達することを防止できる。
【００５３】
細断作業中に、被裁断物が細断刃５１に噛み込まれてしまった場合は、図１７（ｂ）及び図２１（ａ）に示すように、ロック部材１２０の操作部１２４を下方に押し下げることによって、スプリング１３０を圧縮させて、壁面部材１１０の嵌合凹部１１５から引き抜かれる位置まで、ロック部材１２０の嵌合凸部１２１を下降させる。そして、壁面部材１１０を更に斜め上方に移動させ、図２１（ｂ）に示すロック解除位置で停止させる。このようにして壁面部材１１０とロック部材１２０との嵌合状態を解除することができるので、壁面部材１１０をハウジング本体４に対して大きく離反させ、噛み込まれた被裁断物を取り除くことが可能となる。
【００５４】
なお、本発明において、壁面部材１１０は、必ずしもロック部材を介してハウジング本体に取り付けられている必要はないし、また、壁面部材１１０の階段部１１６が係止されながら段階的にスライドしていく構成でなくともよい。
また、図２２に示すように、壁面部材１１０の側壁部にガイド溝１１８が設けられているのみでもよいし、ガイド溝をハウジング本体に設け、突起部を壁面部材に設けてもよい。
【産業上の利用可能性】
【００５５】
本発明は、投入口からハウジング内に投入されたシート材を裁断する構造の機器であれば、家庭用、事務用、工業用等のあらゆる産業分野で使用される裁断装置の投入口に適用することができる。
【図面の簡単な説明】
【００５６】
【図１】本発明の第１実施形態に係る裁断装置の投入口構造を示す断面図である。
【図２】上記裁断装置の投入口構造が適用される裁断装置を示す斜視図である。
【図３】上記裁断装置の投入口構造の弾性部材と通路部材を示す説明図である。
【図４】指の厚みを示す説明図である。
【図５】上記裁断装置の投入口構造の使用状態を示す断面図である。
【図６】上記裁断装置の投入口構造の変形例を示す断面図である。
【図７】本発明の第２実施形態に係る裁断装置の投入口構造を示す要部断面図であり、（ａ）は裁断装置の横方向中央部を切断したもので、（ｂ）はその近傍を切断したものである。
【図８】上記投入口構造の適用される裁断装置を示す断面斜視図である。
【図９】壁面部材を取り外した状態のハウジング本体を示す斜視図である。
【図１０】第１の回転刃を示す正面図である。
【図１１】上記回転刃の構成を示す斜視図である。
【図１２】上記回転刃の構成を示す説明図である。
【図１３】壁面部材を裏面側から見た状態の斜視図である。
【図１４】壁面部材の断面図であり、（ａ）は嵌合凹部の断面形状を示し、（ｂ）は階段部の断面形状を示す。
【図１５】ロック部材を外側から見た状態を示す斜視図である。
【図１６】ロック部材を内側から見た状態を示す斜視図である。
【図１７】シュレッダーの横方向中央部を切断した状態を示す要部断面斜視図であり、（ａ）は投入口に厚みのあるものが挿入された状態を示し、（ｂ）はロック部材を解除する状態を示す。
【図１８】図８のＡ−Ａ線を切断した状態を示す要部断面斜視図であり、（ａ）は初期状態を示し、（ｂ）は投入口に厚みのあるものが挿入された状態を示し、（ｃ）はロック部材を解除して壁面部材を大きく引き離した状態を示す。
【図１９】投入口に厚みのある物が挿入されて押圧部材に外圧が加わった際の投入口構造を示し、（ａ）はシュレッダーの横方向中央部を切断したもので、（ｂ）はその近傍を切断したものである。
【図２０】投入口に指などが挿入されて押圧部材に大きな外圧が加わった際の投入口構造を示し、（ａ）はシュレッダーの横方向中央部を切断したもので、（ｂ）はその近傍を切断したものである。
【図２１】ロック部材を解除する際の投入口構造を示し、（ａ）は、ロック解除操作時におけるシュレッダーの横方向中央部を切断したもので、（ｂ）は、壁面部材をシュレッダー本体から大きく引き引き離した状態において、中央部近傍を切断したものである。
【図２２】上記裁断装置の投入口構造の変形例における壁面部材を示す斜視図である。
【符号の説明】
【００５７】
１・・投入口構造
２・・・シュレッダー（裁断装置）
３・・・投入口
４・・・ハウジング、ハウジング本体
５・・・裁断刃
６・・・電源スイッチ
７・・・フレーム
８・・・扉
９・・・通路
１０・・・弾性部材（壁面部材）
１１・・・先端部
１２・・・スプリング
１３・・・逃げ面
２０・・・通路部材
２１・・・通路壁部
２２・・・底壁部
２３・・・後壁部
３０・・・リミットスイッチ
３１・・・小孔
４１・・・導入面
４２・・・突起
５１・・・第１の回転刃
５２・・・回転軸
５３・・・丸刃
５４・・・回転刃ケース
５４’・・・単位ケース
５５・・・薄刃
５６・・・スペーサ
５７・・・凹部
５８・・・第２の回転刃
５９・・・ガード部材
６０・・・マイクロスイッチ
１１０・・・壁面部材
１１１・・・上面
１１２・・・投入口側
１１３・・・背面部側
１１４・・・通路面
１１５・・・嵌合凹部
１１６・・・階段部
１１８・・・ガイド溝
１２０・・・ロック部材
１２１・・・嵌合凸部
１２２・・・係止部
１２３・・・空間部
１２４・・・操作部
１２６・・・階段部
１３０・・・スプリング
１３１・・・取付部
１３２・・・孔
【図１】
2008119577.tif 000003
【図２】
2008119577.tif 000004
【図３】
2008119577.tif 000005
【図４】
2008119577.tif 000006
【図５】
2008119577.tif 000007
【図６】
2008119577.tif 000008
【図７】
2008119577.tif 000009
【図８】
2008119577.tif 000010
【図９】
2008119577.tif 000011
【図１０】
2008119577.tif 000012
【図１１】
2008119577.tif 000013
【図１２】
2008119577.tif 000014
【図１３】
2008119577.tif 000015
【図１４】
2008119577.tif 000016
【図１５】
2008119577.tif 000017
【図１６】
2008119577.tif 000018
【図１８】
2008119577.tif 000019
【図１９】
2008119577.tif 000020
【図２０】
2008119577.tif 000021
【図２１】
2008119577.tif 000022
【図２２】
2008119577.tif 000023
【図１７】
2008119577.tif 000024
【手続補正書】
【提出日】平成18年11月10日(2006.11.10)
【手続補正１】
【補正対象書類名】図面
【補正対象項目名】図１７
【補正方法】変更
【補正の内容】
【図１７】
2008119577.tif 000025